(57)【要約】【課題】時刻を調整するために無駄な電力が消費されることを抑制する。【解決手段】ハードディスクレコーダ１０は、リモコン受信部３４と、放送信号を入力するための外部端子４４と、アナログチューナ２４と、ＤＶＤドライブ２０と、クリスタル３７と、マイコン３６と、ＬＣＤ４０とを含む。リモコン受信部３４は、操作に応じて制御信号を生成する。ＤＶＤドライブ２０は、放送信号が表わすコンテンツデータを記録する。クリスタル３７は、クロック信号を発振する。マイコン３６は、アナログチューナ２４が同期信号を抽出する間にクリスタル３７が発振したクロック信号の数に対応する修正値を算出する。マイコン３６は、修正値が算出された場合は修正した、クロック信号の数に基づいて、時刻を算出する。マイコン３６は、制御信号が表わす情報に応じて、ＤＶＤドライブ２０を制御する。ＬＣＤ４０は、マイコン３６が算出した時刻を表示する。【選択図】図１
2008107296.tif 000002
【特許請求の範囲】
【請求項１】
操作に応じて制御信号を生成するための生成手段と、
放送信号を入力するための信号入力手段と、
前記放送信号から同期信号を抽出するための抽出手段と、
前記放送信号が表わすコンテンツデータを記録するためのデータ記録手段と、
クロック信号を発振するための発振手段と、
前記データ記録手段を制御するための制御手段とを含み、
前記制御手段は、
前記抽出手段が前記同期信号を抽出する間に前記発振手段が発振した前記クロック信号の数に対応する値を修正値として算出するための修正値算出手段と、
前記データ記録手段が動作を開始した時から前記動作を停止した後の時までの期間において前記修正値算出手段が前記修正値を算出した場合には前記修正値に基づいて修正した、前記クロック信号の数に基づいて、時刻を算出するための時刻算出手段と、
前記制御信号が表わす情報に応じて、前記データ記録手段を制御するための手段とを含み、
前記時刻算出手段が算出した時刻を表示するための表示手段をさらに含む、コンテンツ保存装置。
【請求項２】
操作に応じて制御信号を生成するための生成手段と、
放送信号を入力するための信号入力手段と、
前記放送信号から同期信号を抽出するための抽出手段と、
前記放送信号が表わすコンテンツデータを記録するためのデータ記録手段と、
クロック信号を発振するための発振手段と、
前記データ記録手段を制御するための制御手段とを含み、
前記制御手段は、
前記抽出手段が前記同期信号を抽出する間に前記発振手段が発振した前記クロック信号の数に対応する値を修正値として算出するための修正値算出手段と、
前記修正値算出手段が前記修正値を算出した場合は前記修正値に基づいて修正した、前記クロック信号の数に基づいて、時刻を算出するための時刻算出手段と、
前記制御信号が表わす情報に応じて、前記データ記録手段を制御するための手段とを含み、
前記時刻算出手段が算出した時刻を表示するための表示手段をさらに含む、コンテンツ保存装置。
【請求項３】
前記時刻算出手段は、前記発振手段の表面温度が閾値に比べ高くなる要件が満たされかつ前記修正値算出手段が前記修正値を算出した場合に前記修正値に基づいて修正した、前記クロック信号の数に基づいて、前記時刻を算出するための手段を含む、請求項２に記載のコンテンツ保存装置。
【請求項４】
前記時刻算出手段は、前記データ記録手段が動作を開始した時から前記動作を停止した後の時までの期間に前記修正値算出手段が前記修正値を算出した場合には前記修正値に基づいて修正した、前記クロック信号の数に基づいて、前記時刻を算出するための手段を含む、請求項２に記載のコンテンツ保存装置。
【請求項５】
前記時刻算出手段は、正午を含む時間帯において前記修正値算出手段が前記修正値を算出した場合には前記修正値に基づいて修正した、前記クロック信号の数に基づいて、時刻を算出するための手段を含む、請求項２に記載のコンテンツ保存装置。
【請求項６】
前記コンテンツ保存装置は、温度を検知するための検知手段をさらに含み、
前記時刻算出手段は、前記温度が閾値以上であって前記修正値算出手段が前記修正値を算出した場合には前記修正値に基づいて修正した、前記クロック信号の数に基づいて、前記時刻を算出するための手段を含む、請求項２に記載のコンテンツ保存装置。
【発明の詳細な説明】
【技術分野】
【０００１】
本発明は、コンテンツ保存装置に関し、特に、時刻の同期化を行うコンテンツ保存装置に関する。
【背景技術】
【０００２】
特許文献１は、アンテナと、チューナと、発振器と、歩度調整回路と、分周器と、ＣＰＵ（Central Processing Unit）と、記憶装置と、ＬＣＤ（Liquid Crystal Display）とを備える電子時計を開示する。アンテナは、放送電波を受信する。チューナは、アンテナで受信した放送電波から所定の同期信号を抽出する。発振器は、所定周波数のクロック信号を発振する。歩度調整回路は、クロック信号の周波数を調整する。分周器は、発振器から出力されるクロック信号を分周して計時用クロック信号を生成する。記憶装置は、チューナがある同期信号を抽出した時から次に同期信号を抽出した時までの期間に発振器が出力すべきクロック数を記憶する。ＣＰＵは、計時用クロックに基づいて時間を計時し、前述した期間に発振器が出力したクロック信号の数を検出し、クロック信号の数と記憶装置が記憶するクロック信号の数と比較して誤差を算出する。ＬＣＤは、誤差を認識可能な状態で出力する。
【０００３】
特許文献１に開示された発明によると、放送電波に含まれている同期信号を利用することにより、電子時計を常に正確なものとすることができる。
【特許文献１】特開平５−８７９５６号公報
【発明の開示】
【発明が解決しようとする課題】
【０００４】
しかし、特許文献１に開示された発明では、正確な時刻を得るために、無駄な電力を消費する可能性があるという問題点がある。計時されている時刻が正しいか否かを電子時計が知る方法がないため、計時されている時刻が正しいか否かに関わらず、放送電波から同期信号を抽出しなければならないためである。
【０００５】
本発明は上述の問題点を解決するためになされたものであって、その目的は、時刻を調整するために無駄な電力が消費されることを抑制できるコンテンツ保存装置を提供することにある。
【課題を解決するための手段】
【０００６】
上記目的を達成するために、本発明のある局面にしたがうと、コンテンツ保存装置は、生成手段と、放送信号を入力するための信号入力手段と、抽出手段と、データ記録手段と、発振手段と、制御手段と、表示手段とを含む。生成手段は、操作に応じて制御信号を生成する。抽出手段は、放送信号から同期信号を抽出する。データ記録手段は、放送信号が表わすコンテンツデータを記録する。発振手段は、クロック信号を発振する。制御手段は、データ記録手段を制御する。表示手段は、時刻算出手段が算出した時刻を表示する。制御手段は、修正値算出手段と、時刻算出手段と、制御信号が表わす情報に応じて、データ記録手段を制御するための手段とを含む。修正値算出手段は、抽出手段が同期信号を抽出する間に発振手段が発振したクロック信号の数に対応する値を修正値として算出する。時刻算出手段は、データ記録手段が動作を開始した時から動作を停止した後の時までの期間において修正値算出手段が修正値を算出した場合には修正値に基づいて修正した、クロック信号の数に基づいて、時刻を算出する。
【０００７】
本発明の他の局面に従うと、コンテンツ保存装置は、生成手段と、放送信号を入力するための信号入力手段と、抽出手段と、データ記録手段と、発振手段と、制御手段と、表示手段とを含む。生成手段は、操作に応じて制御信号を生成する。抽出手段は、放送信号から同期信号を抽出する。データ記録手段は、放送信号が表わすコンテンツデータを記録する。発振手段は、クロック信号を発振する。制御手段は、データ記録手段を制御する。表示手段は、時刻算出手段が算出した時刻を表示する。制御手段は、修正値算出手段と、時刻算出手段と、制御信号が表わす情報に応じて、データ記録手段を制御するための手段とを含む。修正値算出手段は、抽出手段が同期信号を抽出する間に発振手段が発振したクロック信号の数に対応する値を修正値として算出する。時刻算出手段は、修正値算出手段が修正値を算出した場合は修正値に基づいて修正した、クロック信号の数に基づいて、時刻を算出する。
【０００８】
また、上述した時刻算出手段は、発振手段の表面温度が閾値に比べ高くなる要件が満たされかつ修正値算出手段が修正値を算出した場合に修正値に基づいて修正した、クロック信号の数に基づいて、時刻を算出するための手段を含むことが望ましい。
【０００９】
また、上述した時刻算出手段は、データ記録手段が動作を開始した時から動作を停止した後の時までの期間に修正値算出手段が修正値を算出した場合には修正値に基づいて修正した、クロック信号の数に基づいて、時刻を算出するための手段を含むことが望ましい。
【００１０】
また、上述した時刻算出手段は、正午を含む時間帯において修正値算出手段が修正値を算出した場合には修正値に基づいて修正した、クロック信号の数に基づいて、時刻を算出するための手段を含むことが望ましい。
【００１１】
また、上述したコンテンツ保存装置は、温度を検知するための検知手段をさらに含むことが望ましい。併せて、時刻算出手段は、温度が閾値以上であって修正値算出手段が修正値を算出した場合には修正値に基づいて修正した、クロック信号の数に基づいて、時刻を算出するための手段を含むことが望ましい。
【発明の効果】
【００１２】
本発明に係るコンテンツ保存装置は、時刻を調整するために無駄な電力が消費されることを抑制できる。
【発明を実施するための最良の形態】
【００１３】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１４】
図１のハードディスクレコーダ１０は、２種類の記録媒体に各種コンテンツを記録するコンテンツ保存装置である。ハードディスクレコーダ１０は、記録メディアから再生された各種コンテンツを、装置外部に予め接続されたモニタ装置１４に映像信号または音声信号として視聴可能なように出力する装置でもある。リモコン（リモートコントローラの略）１２は、ユーザが各種の指令を入力するために操作される装置であり、その指令に対応する赤外線信号を発信する。
【００１５】
ハードディスクレコーダ１０は、ＤＶＤ（Digital Versatile Disc）ドライブ２０と、ＨＤ（Hard Disk）装置２２と、後述する外部端子４４に接続されたアナログチューナ２４と、ＯＳＤ（On Screen Display）５０を内蔵するＭＰＥＧ（Motion Picture Experts Group）コーデックエンジン２６と、メモリ２８と、映像出力部３０と、音声出力部３２と、リモコン受信部３４と、マイコン（マイクロコンピュータの略）３６と、クリスタル３７と（通常、「水晶振動子」と呼ばれるが、本実施の形態では「クリスタル」と称する）、外部からデジタル情報を供給するための外部装置７０を接続する外部Ｉ／Ｆ（Inter Face）３８と、時刻その他の情報を表示するＬＣＤ４０と、マイコン３６に接続された温度センサ４２と、放送局から送信されるデジタル放送信号を受信する外部のアンテナ６０を接続し、そのデジタル放送信号の入力を受付ける外部端子４４とを備える。
【００１６】
ＤＶＤドライブ２０は光ディスク（本実施の形態の場合ＤＶＤディスク３００）に信号として記録されたデジタルコンテンツの映像データや音声データを読出す装置である。なお、本実施の形態において、光ディスクその他の記録媒体に記録される映像データや音声データを「コンテンツデータ」と称する。ＤＶＤドライブ２０は光ディスクにコンテンツデータの信号を記録する装置でもある。
【００１７】
ＨＤ装置２２は、ユーザ所望のデジタルコンテンツのコンテンツデータの信号をハードディスク５２に記録し、その記録されたデジタルコンテンツのコンテンツデータの信号を読出す装置である。ここで、ハードディスク５２に記録されるコンテンツデータとしては、たとえばＭＰＥＧ２規格に準拠する映像ファイルやＭＰ３（MPEG-1 Audio Layer3）規格に準拠する音声ファイルなどが挙げられる。また、ＨＤ装置２２には、マイコン３６の動作プログラムが格納される。
【００１８】
ＨＤ装置２２は、記録媒体（本実施の形態の場合ハードディスク５２）に信号として記録されたデータとチャプタ（デジタルコンテンツの境界）を表わす情報とを読出す読出しヘッド５４と、それらを記録媒体に記録する記録ヘッド５６とを含む。
【００１９】
アナログチューナ２４は、放送局から発信されるデジタルコンテンツの放送信号をアンテナ６０が受信すると、マイコン３６により指定されるチャンネルの放送信号（デジタルコンテンツの信号）を抽出して出力する装置である。抽出される放送信号の一種には、水平同期信号や垂直同期信号が含まれる。これにより、アナログチューナ２４は、アンテナ６０が受信した放送信号のいずれかを選局することとなる。
【００２０】
ＭＰＥＧコーデックエンジン２６は、ＤＶＤドライブ２０により再生されたコンテンツデータの信号、ハードディスク５２から読出されたコンテンツデータの信号、および外部Ｉ／Ｆ３８を介して外部装置７０から入力されたデジタルコンテンツの信号のうちのいずれかがマイコン３６の切換制御により与えられると、与えられたそのデジタル信号を受付け、復号（デコード）し、出力する装置である。ＭＰＥＧコーデックエンジン２６は、デジタルコンテンツの信号をＤＶＤドライブ２０やＨＤ装置２２に記録させるために、マイコン３６の制御により、アナログチューナ２４が抽出したコンテンツの放送信号をコンテンツデータの信号として圧縮したり、外部Ｉ／Ｆ３８を介して入力されたデジタル信号を圧縮したりする装置でもある。ＭＰＥＧコーデックエンジン２６が内蔵するＯＳＤ５０はマイコン３６により与えられた情報に基づいて画像データを作成し、モニタ装置１４の画面に可視表示するためにそれを映像出力部３０に対して出力する。
【００２１】
メモリ２８には、アナログチューナ２４が受信可能な放送チャンネルが予めチャンネルスキャン（オートスキャン）して取得されて格納される。メモリ２８には、時刻を表わす情報なども格納されている。
【００２２】
映像出力部３０は、読出しヘッド５４がハードディスク５２から読出し、かつＭＰＥＧコーデックエンジン２６が信号として復号した映像データを出力する装置である。映像出力部３０は、映像データをモニタ装置１４が出力可能な映像信号に変換した後、映像信号をモニタ装置１４に対して出力する。映像出力部３０は、ＯＳＤ５０が作成した情報を映像信号として出力する装置でもある。
【００２３】
音声出力部３２は、読出しヘッド５４がハードディスク５２から読出し、かつＭＰＥＧコーデックエンジン２６が信号として復号した音声データを出力する装置である。音声出力部３２は、音声データをモニタ装置１４が出力可能な音声信号に変換した後、音声信号をモニタ装置１４に対して出力する。
【００２４】
リモコン受信部３４は、赤外線を介してリモコン１２から発信される各種の指令信号を受信する装置である。リモコン受信部３４は、リモコン１２に対するユーザの操作に応じた制御信号を生成し、マイコン３６に伝送する。
【００２５】
マイコン３６は、メモリ２８に格納された動作プログラムに基づいて装置各部の制御を行なう装置である。
【００２６】
クリスタル３７は、クロック信号を生成する。本実施の形態において、「クロック信号」とは、マイコン３６の動作タイミングの調整に利用される信号を意味する。本実施の形態において、光ディスクその他への記録媒体への記録が実施されておらず、かつ夜間の場合、クロック信号の周期はアナログチューナ２４が水平同期信号を抽出する周期に等しいこととする。
【００２７】
温度センサ４２は、クリスタル３７の周辺の温度を検出する。温度センサ４２として取付けられるセンサは特に限定されないが、本実施の形態の場合、サーミスタが取付けられている。
【００２８】
図２は、マイコン３６のうち、時刻の算出に関与する部分の構成と機能とを表わす図である。図２を参照して、マイコン３６は、チューナカウンタ８０と、クリスタルカウンタ８２と、ＣＰＵ８４とを含む。
【００２９】
チューナカウンタ８０は、アナログチューナ２４が抽出した同期信号を計数する。本実施の形態の場合、チューナカウンタ８０が計数する同期信号は、水平同期信号であることとする。チューナカウンタ８０は、水平同期信号を計数する度に、後述する比較部９２に対してそれまでに計数した水平同期信号の数を出力する。
【００３０】
クリスタルカウンタ８２は、クリスタル３７が出力したクロック信号を計数する。クリスタルカウンタ８２は、クロック信号を計数する度に、後述する比較部９２と演算部９４とに対してそれまでに計数したクロック信号の数を出力する。
【００３１】
ＣＰＵ８４は、数値を演算したり、映像出力部３０や音声出力部３２に対して制御信号を出力したりする。
【００３２】
ＣＰＵ８４は、比較部９２、演算部９４、あるいは制御部９６として動作する。本実施の形態の場合、比較部９２、演算部９４、あるいは制御部９６は、ＣＰＵ８４によって実現される仮想回路とみなすことができる。
【００３３】
比較部９２は、チューナカウンタ８０が出力した水平同期信号の数からクリスタルカウンタ８２が出力したクロック信号の数を減算した値を算出する。比較部９２は、その値を修正値として演算部９４に出力する。
【００３４】
演算部９４は、比較部９２が担当しない演算を行う。演算部９４が行う演算には、時刻を算出するための演算も含まれる。本実施の形態の場合、演算部９４は、次の手順に従って時刻を算出する。第１の手順は、クリスタルカウンタ８２が出力したクロック信号の数から比較部９２が出力した修正値を減算する手順である。但し、比較部９２が修正値を出力しない場合、第１の手順は実施されない。第２の手順は、第１の手順における減算の結果得られた値に係数を乗算する手順である。第１の手順が実施されない場合、クリスタルカウンタ８２が出力したクロック信号の数に係数が乗算される。これにより、クリスタルカウンタ８２が出力したクロック信号の数は、クリスタルカウンタ８２が数の出力を開始した時からの経過時間に換算される。第３の手順は、第２の手順における乗算の結果得られた値にクリスタルカウンタ８２が出力したクロック信号の数が「０」であった時点の時刻を加算する手順である。
【００３５】
制御部９６は、ハードディスク５２からメモリ２８に複写されたプログラムを実行することにより、ハードディスクレコーダ１０の各部を制御する。この制御により、ＤＶＤドライブ２０やＨＤ装置２２がデジタルコンテンツを録画したり、ＬＣＤ４０が時刻を表示したりする。
【００３６】
以上のような構造に基づく、ハードディスクレコーダ１０の動作について説明する。
［ＤＶＤディスクへの録画中にクロック信号の数を修正する場合］
録画を開始するためユーザがリモコン１２を操作すると、リモコン受信部３４はリモコン１２から信号を受信する。信号が受信されると、リモコン受信部３４は、その信号に対応する制御信号を生成する。
【００３７】
制御信号が生成されると、制御部９６は、アンテナ６０が放送信号として受信した映像データや音声データをＤＶＤディスク３００に記録するように、ＤＶＤドライブ２０やアナログチューナ２４などを制御する。
【００３８】
これと同時に、制御部９６は、比較部９２に対し、信号を出力する。その信号が出力されると、比較部９２は、チューナカウンタ８０が出力した水平同期信号の数からクリスタルカウンタ８２が発振したクロック信号の数を減算した値の算出を開始する。
【００３９】
演算部９４は、比較部９２が算出した値に基づいて修正したクロック信号の数を用いて、時刻を算出する。
【００４０】
時刻が算出されると、演算部９４は、その時刻を表わす情報をＬＣＤ４０に出力する。ＬＣＤ４０は、その情報に基づいて、時刻を表示する。
【００４１】
その後、録画を終了するためユーザがリモコン１２を操作すると、リモコン受信部３４はリモコン１２から信号を受信する。信号が受信されると、リモコン受信部３４は、その信号に対応する制御信号を生成する。
【００４２】
制御信号が生成されると、制御部９６は、映像データや音声データの記録を終了するように、ＤＶＤドライブ２０やアナログチューナ２４などを制御する。
【００４３】
ＤＶＤドライブ２０やアナログチューナ２４などが制御された後、演算部９４は時刻の算出を継続する。算出された時刻の情報はＬＣＤ４０のみでなく制御部９６へも出力されている。制御部９６は、ＤＶＤドライブ２０が動作を停止した後、所定の期間が経過したか否かをその時刻に基づいて判断する。
【００４４】
ここでいう「所定の期間」は、ＤＶＤドライブ２０の発熱量と冷却速度とに対応する期間である。この期間が経過することにより、ＤＶＤドライブ２０が十分冷却されるので、ＤＶＤドライブ２０からの熱がクロック信号の周波数に悪影響を与えることがなくなる。
【００４５】
所定の期間が経過すると、制御部９６は、修正値の算出を停止するように比較部９２を制御する。
【００４６】
［日中にクロック信号の数を修正する場合］
演算部９４は、時刻を算出している。この場合、比較部９２が修正値を算出していないとすると、その時刻の修正は実施されない。
【００４７】
時刻が算出されると、その時刻を表わす情報は制御部９６に出力される。制御部９６は、その時刻が正午を含むある時間帯に含まれるか否かを判断する。本実施の形態の場合、この時間帯は、予め定められている。
【００４８】
演算部９４が算出した時刻がその時間帯に含まれる場合、制御部９６は、比較部９２に対し、信号を出力する。その信号が出力されると、比較部９２は、チューナカウンタ８０が出力した水平同期信号の数からクリスタルカウンタ８２が発振したクロック信号の数を減算した値の算出を開始する。
【００４９】
演算部９４は、比較部９２が先ほど算出を開始した値に基づいて修正したクロック信号の数を用いて、時刻を算出する。
【００５０】
時刻が算出されると、演算部９４は、その時刻を表わす情報をＬＣＤ４０に出力する。ＬＣＤ４０は、その情報に基づいて、時刻を表示する。
【００５１】
時刻が算出されると、その時刻を表わす情報は制御部９６に出力される。制御部９６は、その時刻が正午を含むある時間帯に含まれるか否かを再び判断する。
【００５２】
当初、時刻はその時間帯に含まれている。しかしながら、その後、時刻はその時間帯に含まれなくなる。その時間帯に時刻が含まれなくなると、制御部９６は、修正値の算出を停止するように比較部９２を制御する。
【００５３】
［温度センサが信号を出力したことに応じて、クロック信号の数を修正する場合］
温度センサ４２は、温度を表わす情報を制御部９６に周期的に出力している。制御部９６は、その情報が出力されると、温度が閾値以上か否かを判断する。
【００５４】
温度が閾値以上の場合、制御部９６は、比較部９２に対し、温度が閾値以上であることに対応する内容の信号を出力する。その信号が出力されると、比較部９２は、チューナカウンタ８０が出力した水平同期信号の数からクリスタルカウンタ８２が発振したクロック信号の数を減算した値の算出を開始する。
【００５５】
演算部９４は、比較部９２が先ほど算出を開始した値に基づいて修正したクロック信号の数を用いて、時刻を算出する。
【００５６】
時刻が算出されると、演算部９４は、その時刻を表わす情報をＬＣＤ４０に出力する。ＬＣＤ４０は、その情報に基づいて、時刻を表示する。
【００５７】
その後、温度センサ４２が検出した温度が閾値未満になると、制御部９６は、修正値の算出を停止するように比較部９２を制御する。
【００５８】
以上のようにして、本実施の形態にかかるハードディスクレコーダ１０は、録画の開始時から、録画の終了後所定の期間が経過するまで、水平同期信号の数に基づいて修正値を更新する。また、ハードディスクレコーダ１０は、更新した修正値を用いて、時刻を修正する。これにより、電波時計用のチューナを必要とせずに、時刻の狂いを抑制することができる。時刻の修正が、録画のために動作するアナログチューナ２４を利用しているので、時刻の修正のために消費する電力もごくわずかとなる。また、録画のためにＤＶＤドライブ２０が動作している期間は、ＤＶＤドライブ２０から生じた熱の影響をクリスタル３７が受けやすい期間なので、この期間に時刻を修正するだけでも、算出それる時刻の誤差はかなり小さくなる。その結果、生産コストの増加を招くことなく、ごくわずかな電力によって時刻を的確に修正できるレコーダを提供することができる。また、時刻が的確に修正されるので、ユーザが予約した番組を録画し損なう可能性を大幅に抑制できる。
【００５９】
また、本実施の形態にかかるハードディスクレコーダ１０は、正午を含む時間帯において、水平同期信号の数に基づいて修正値を更新する。正午を含む時間帯は日中なので、夜間に比べてクロック信号の周波数の誤差が生じやすい。この時間帯に出力されるクロック信号が修正されることにより、時刻の狂いを抑制することができる。
【００６０】
また、本実施の形態にかかるハードディスクレコーダ１０は、検知された温度が閾値以上の場合、水平同期信号の数に基づいて修正値を更新する。これにより、クロック信号の周波数が熱の影響を受ける恐れが実際にある場合に、クロック信号が修正される。これにより、時刻の狂いを的確に抑制することができる。
【００６１】
なお、第１の変形例として、上述した場合以外にも、クリスタル３７の表面温度が閾値に比べ高くなる要件が満たされた場合、演算部９４は、水平同期信号の数に基づいて修正値を更新してもよい。録画の開始時から録画の終了後所定の期間が経過するまでの期間や正午を含む時間帯以外のそのような要件の例には、ハードディスクレコーダ１０の連続稼働時間が閾値を越えた場合などがある。
【００６２】
また、第２の変形例として、時間帯や録画などに基づいてクロック信号の数の修正時期が決められる場合、温度センサ４２は含まれていなくともよい。
【００６３】
また、第３の変形例として、比較部９２、演算部９４、および制御部９６の動作は、専用のＩＣ（Integrated Circuit）により実施されてもよい。これらの動作は単一のＩＣにより実施されても複数のＩＣにより実施されてもよい。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】本発明の実施の形態にかかるハードディスクレコーダの構成を表わす図である。
【図２】本発明の実施の形態にかかるマイコンなどの構成を表わす図である。
【符号の説明】
【００６６】
１０  ハードディスクレコーダ、１２  リモコン、１４  モニタ装置、２０  ＤＶＤドライブ、２２  ＨＤ装置、２４  アナログチューナ、２６  ＭＰＥＧコーデックエンジン、２８  メモリ、３０  映像出力部、３２  音声出力部、３４  リモコン受信部、３６  マイコン、３７  クリスタル、３８  外部Ｉ／Ｆ、４０  ＬＣＤ、４２  温度センサ、４４  外部端子、５０  ＯＳＤ、５２  ハードディスク、５４  読出しヘッド、５６  記録ヘッド、６０  アンテナ、７０  外部装置、８０  チューナカウンタ、８２  クリスタルカウンタ、８４  ＣＰＵ、９２  比較部、９４  演算部、９６  制御部、３００  ＤＶＤディスク。
【図１】
2008107296.tif 000003
【図２】
2008107296.tif 000004